(57)【要約】【課題】スト−マの根っこに脱脂綿、ジョイントを設けホルダ−を挿入してシ−ルリングの前後にオ−リングを装着しホルダーに差込む、後にロックナットをねじ込みシ−ルリングの半回転により位置決めをする事で排便の排出、閉止を行う排便制御装具を提供する。【解決手段】脱脂綿（１）をスト−マの根っこに巻き、巻数により厚み調整をして輪ゴム的な役目と継手の役目のジョイント（２）を設けホルダ−（３）を挿入しシ−ルリング（４）の前後にオ−リング（６）を装着してロックナット（５）で排便の排出、閉止の位置決めを行う事で採便袋使用中の時に採便袋の外からでも自在に行う事が出来る構成によりなる排便制御装具を特徴とする。【選択図】図１
2013169451.tif 000002
【特許請求の範囲】
【請求項１】
ストーマに脱脂綿（１）パッキン（２）を設け面板とストーマの隙間を塞ぎ、ホルダー（３）にシールリング（４）ロックナット（５）を組込む、以上の構成によりなるストーマ排便制御装具である。
【発明の詳細な説明】
【技術分野】
【０００１】この発明はストーマ保有者が排便を一時的に制御する事で安心な日常生活を送る事の出来る排便制御装具に関する物である。
【背景技術】
【０００２】従来の排便装具の中では排便を一時的に制御する物は市場には無くストーマの出口をシールテープで貼付け閉止する物で日常生活する中でその都度制御する事は出来ない。
【発明の開示】
【発明が解決しようとする課題】
【０００３】従来のストーマ排便装具の中で一時的に排便を制御する物は市場には無く排便、ガスが入浴時・満員電車内・会議中、睡眠中、運動中日常生活を送る中で排便があっては困る事が多かった。本発明は、以上のような欠点をなくすためになされたものである。
【課題を解決するための手段】
【０００４】脱脂綿（１）をストーマの根っこに巻きつけパッキン（２）を設けホルダー（３）を排便出口を下にして挿入しシールリング（４）の前後にオーリング（６）を装着して（３）に差込み回転により排便制御を行いロックナット（５）により開閉の位置決めをする。以上の構成よりなる排便制御装具である。
【発明の効果】
【０００５】ストーマ保有者にとって排便を自在に開閉を切替られるのでいつでも一時的に排便制御する事で健康人と同じ生活感覚にて日常生活を送る事が出来る。
【発明を実施するための最良の形態】
【０００６】以下、本発明を実施するための最良の形態について説明する。
腸は神経が無いので脱脂綿（１）をストーマの根っこに巻きつけシリコンゴムのパッキン（２）を指で広げストーマの根っこに嵌めてストーマの根っこの変形した形状を［図３］のＥ−断面のようにやや強制して市販面板とストーマの隙間を塞ぎ［図３］のＣ−Ｃ矢視及びＤ−断面のごとく排便の圧力をお腹に直接受けて市販面板裏面に排便が進入して面板とお腹の接着面を剥がさない様にする。それ以上の圧力がかかると肌に優しいプラスチック製ホルダー（３）の排便口を下向きに挿入してプラスチック製シールリング（３）の排出口を下向きに大きくとる事で圧力を分散するようにして根っこに集中することのないような構造にしておきます。ホルダー（３）でパッキンを押付けて市販面板に貼付けシールリング（４）の前後にオーリング（６）を装着してホルダー（３）に差し込むロックナット（５）と（３）の先端部にはネジを切り緩めたら（４）を回転させ位置決め後（５）でロックする事で開閉の位置決めを自在にする事ができる。
【図面の簡単な説明】
【０００７】
【図１】本発明の断面図及び正面図他断面詳細図である。
【図２】本発明の斜視図及び説明用図面である。
【符号の説明】
【０００８】１    脱脂綿
２    パッキン
３    ホルダー
４    シールリング
５    ロックナット
６    オーリング
【図１】
2013169451.tif 000003
【図２】
2013169451.tif 000004
【図３】
2013169451.tif 000005
【手続補正書】
【提出日】平成24年3月20日(2012.3.20)
【手続補正１】
【補正対象書類名】図面
【補正対象項目名】全図
【補正方法】変更
【補正の内容】
【図１】
2013169451.tif 000006
【図２】
2013169451.tif 000007
【図３】
2013169451.tif 000008
【手続補正書】
【提出日】平成24年4月5日(2012.4.5)
【手続補正１】
【補正対象書類名】特許請求の範囲
【補正対象項目名】請求項１
【補正方法】変更
【補正の内容】
【請求項１】
スト−マに脱脂綿（１）を巻き、ジョイント（２）を嵌める事によりシ−ル性を高め、外輪にあたるシ−ルリング（４）を半回転す事によりバルブの役目をはたす事が出来る。構成によりなるスト−マ排便制御装具。
【手続補正２】
【補正対象書類名】明細書
【補正対象項目名】全文
【補正方法】変更
【補正の内容】
【発明の詳細な説明】
【技術分野】
【０００１】この発明はスト−マ保有者が排便を一時的に制御する事で安心安全快活な日常生活を送る事の出来る排便制御装具に関する物である。
【背景技術】
【０００２】従来の排便装具の中では排便を一時的に制御する物は市場には無くスト−マの出口をシ−ルテ−プで貼付け閉止する物しか無く日常生活する中で一時的に制御する事は出来ない。
【発明の開示】
【発明が解決しようとする課題】
【０００３】従来のスト−マ排便装具の中で一時的に排便を制御する物は市場には無く排便及びガスが食事中・入浴時・満員電車内・会議中・睡眠中・運動中、日常生活を送る中で排便が突然おきて困るので一時的に閉止する事で安心快活にする為。本発明は、以上のような欠点をなくす為になされたものである。
【課題を解決するための手段】
【０００４】脱脂綿（１）をスト−マの根っこに巻き、巻数により厚み調整をして輪ゴム的な役目と継手の役目のジョイント（２）を設け肌に貼付けホルダ−（３）を排便出口を下にして挿入しシ−ルリング（４）の前後にオ−リング（６）を装着して（３）に差込み回転により排便制御を行うロックナット（５）により開閉の位置決めをする。採便袋使用中でも排便袋の外から操作できる。以上の構成によりなる排便制御装具である。
【発明の効果】
【０００５】スト−マ保有者にとって採便袋使用中に外から排便を自在にコントロ−ル出来るので何時でも一時的に排便制御したい時に出来るので健康人と同じ生活感覚にて日常生活を送る事が出来るので非常に都合の良い物で便利である。
【発明を実施するための最良の形態】
【０００６】以下、本発明を実施するための最良の形態について説明する。
脱脂綿（１）をスト−マの根っこに巻き、巻数により厚み調整をして輪ゴム的な役目と継手の役目のシリコンゴム製ジョイント（２）を指で少し広げスト−マの根っこに嵌めてスト−マの根っこの変形した形状を［図３］のＥ−断面のようにやや強制して市販面板とスト−マの隙間を塞ぎお腹に押付け貼付け市販面板（２）を溝に差込み構造にして、［図３］のＣ−Ｃ矢視及びＤ−断面のごとく排便の圧力をお腹に直接受けてお腹がへこみ市販面板裏面に排便が侵入して面板とお腹の接着面を剥がさない様にする。それ以上の圧力がかかると肌にやさしいプラスチック製ホルダ−（３）の排便口を下向きに挿入して（２）を押付けて市販面板に貼付け、プラスチック製シ−ルリング（４）の排出口を下向きに大きくとる事とホルダ−（３）のスト−マ出口正面にあたる部分は水平圧力を裂ける為、傾斜にする事で圧力を下部出口側に分散する様にして根っこに集中する事の無い様な構造にしておきます。
ロックナット（５）と（３）の先端部にはネジを切り緩めたら（４）を回転させ位置決め後（５）でロックする事で開閉の位置決めを採便袋の外から自在にする事が出来る排便制御装具である。
【図面の簡単な説明】
【０００７】
【図１】本発明の断面図及び正面図他断面詳細図である。
【図２】本発明の斜視図及び説明用図面である。
【符号の説明】
【０００８】１    脱脂綿
２    ジョイント
３    ホルダ−
４    シ−ルリング
５    ロックナット
６    オ−リング
【手続補正書】
【提出日】平成24年4月5日(2012.4.5)
【手続補正１】
【補正対象書類名】図面
【補正対象項目名】全図
【補正方法】変更
【補正の内容】
【図１】
2013169451.tif 000009
【図２】
2013169451.tif 000010
【図３】
2013169451.tif 000011
【手続補正書】
【提出日】平成24年4月11日(2012.4.11)
【手続補正１】
【補正対象書類名】図面
【補正対象項目名】図２
【補正方法】変更
【補正の内容】
【図２】
2013169451.tif 000012
【手続補正書】
【提出日】平成24年4月13日(2012.4.13)
【手続補正２】
【補正対象書類名】明細書
【補正対象項目名】０００７
【補正方法】変更
【補正の内容】
【０００７】
【図１】  本発明の断面図及び正面図他断面詳細図である。
【図２】  本発明の斜視図である。
【図３】  本発明の説明用図である。
【手続補正書】
【提出日】平成25年1月25日(2013.1.25)
【手続補正１】
【補正対象書類名】明細書
【補正対象項目名】０００６
【補正方法】変更
【補正の内容】
【０００６】以下、本発明を実施するための最良の形態について説明する。
シリコンスポンジシール（１）を自分のストーマ径より少し小さめのものを選定して嵌めてお腹に接着した後に面板を挿入しお腹に接着する、輪ゴム（２）を少し締め付け加減をして嵌めてストーマの密着度を高め腸のぜん動運動に対応出来るようにしておき、たとえば腸の運動でストーマ径が細くなる時点で輪ゴムが同時に吸収して隙間が出来るのを塞いでくれる逆に腸が便圧の高い時は太くなるがその場合はシリコンスポンジシールのＢ部詳細の”ｂ”部にハの字に力が働きシール性が高まりより安全に近ずき理想の安全対策が出来る利点がある又、［図１］の中のＢ部詳細の”ａ”部の太線部分はシリコンスポンジシールの外面を肌にやさしい市販面板と同等の接着剤を塗布しお腹の面に当たる部分はプレス圧にて外周部は薄く仕上げておく事で違和感なく取付けられて安心できる、圧力に歯止めをかける事でホルダー（３）シールリング（４）の排便口の方に流れるのでストーマ根っこの周上に圧力が集中しない様根っこの方に反力がおきない構造にしておく。説明用図で［図３］のＥ−断面のように市販面板とストーマの隙間を塞ぎ［図３］Ｃ−Ｃ矢視及びＤ−断面のごとく排便の圧力をお腹に直接受けて市販面板裏面に排便が侵入して面板とお腹の接着面を剥がさない様にする。肌に優しいプラスチック性ホルダー（３）の排便口を下向きに挿入して面板に接着する又、肌に優しいプラスチック性シールリング（４）の排出口を大きくとりロックナット（５）オーリング（６）を組込む、（５）と（３）の先端部にはネジを切り緩めたら（４）を回転させ位置決めをする、後に（５）でロックする事で開閉の位置決めを排便袋の外から自在に出来る構成によりなるストーマ排便制御装具である。